(57)【要約】  【課題】  ランバーサポート機構を有した椅子において、張地を背凭れベースに保持させるための構造の複雑化が抑制された椅子を提供する。  【解決手段】背凭れＧが、背凭れベースＨと、背凭れベースＨの両側部に設けられた貫通孔１３に嵌合し得るキャップＫと、キャップＫに形成されたガイド孔ｋ１を貫通するランバーサポート機構Ｊと、背凭れベースＨを被覆する張地Ｍとを備えている。張地Ｍの一部が、背凭れベースＨの貫通孔１３とキャップＫとの間に挟持されている。【選択図】図５
2019037666.tif 000002
【特許請求の範囲】
【請求項１】
背凭れを備えた椅子であって、
前記背凭れが、背凭れベースと、この背凭れベースの両側部に設けられた貫通孔に嵌合し得るキャップと、これらキャップに形成されたガイド孔を貫通するランバーサポート機構と、前記背凭れベースを被覆する張地とを備えてなり、
前記張地の一部が、前記背凭れベースの前記貫通孔と前記キャップとの間に挟持されている椅子。
【請求項２】
前記キャップにおける露出部分、及び、前記背凭れベースにおける前記張地によって被覆されていない露出部分が、略同じ色彩に設定されている請求項１記載の椅子。
【請求項３】
前記ランバーサポート機構を構成する構成部材の端部が、前記ガイド孔よりも外方に位置してなるものであり、
前記構成部材の端部に、カバー部材が装着されている請求項１又は２記載の椅子。
【請求項４】
前記ランバーサポート機構を構成する構成部材の端部近傍部分が、上下方向に延びた前記ガイド孔内に位置するものであり、
前記構成部材が、前記背凭れベースに対して上下動することにより着座者の腰部への押圧度合いを調整し得るアジャスタであり、
このアジャスタの端部近傍部分が前記ガイド孔に係わり合い、前記アジャスタが所定の位置に保持され得るように構成されている請求項１、２又は３記載の椅子。
【請求項５】
前記背凭れベースが、側面視における上下方向中間部に、前側に向かって凸をなすように略くの字状に屈曲した屈曲部を備えており、この屈曲部における最も前端に設定されたピーク点よりも上に前記貫通孔が設けられている請求項１、２、３又は４記載の椅子。
【請求項６】
前記キャップが、左右方向に連通する前記ガイド孔を有した筒状をなし、内方端に前記背凭れベースに係止し得る係止部を有するとともに外方端に鍔部を有したものである請求項１、２、３、４又は５記載の椅子。
【請求項７】
前記鍔部と前記貫通孔の開口縁との間に、前記張地が配され得る隙間が形成されている請求項６記載の椅子。
【発明の詳細な説明】
【技術分野】
【０００１】
本発明は、オフィス等において好適に使用される椅子に関する。
【背景技術】
【０００２】
従来から、背凭れベースにおける左右側面に貫通孔が形成され、これら貫通孔にキャップを装着したものが存在する（例えば、特許文献１を参照）。キャップには上下縦長のガイド孔が形成されており、このガイド孔内にランバーサポート機構を構成する操作レバーが貫通し得るようになっている。
【０００３】
ところで、背凭れベースは、張地により被覆されることが多い。従来の椅子は、張地が背凭れベースに対してずれ動かないようにするため、上述したキャップとは無関係の別個の張地押さえ構造によって保持されていた。換言すれば、従来の椅子は、キャップとは別個独立した張地押さえ手段を設ける必要があったため、全体として構造が複雑化してしまうという不具合があった。
【先行技術文献】
【特許文献】
【０００４】
【特許文献１】特開２０１３−９４５９５号公報
【発明の概要】
【発明が解決しようとする課題】
【０００５】
本発明は、以上のような事情に着目してなされたもので、ランバーサポート機構を有した椅子において、張地を背凭れベースに保持させるための構造の複雑化が抑制された椅子を提供することにある。
【課題を解決するための手段】
【０００６】
すなわち、本発明は次の構成をなしている。
【０００７】
請求項１に記載の発明は、背凭れを備えた椅子であって、前記背凭れが、背凭れベースと、この背凭れベースの両側部に設けられた貫通孔に嵌合し得るキャップと、これらキャップに形成されたガイド孔を貫通するランバーサポート機構と、前記背凭れベースを被覆する張地とを備えてなり、前記張地の一部が、前記背凭れベースの前記貫通孔と前記キャップとの間に挟持されている椅子である。
【０００８】
請求項２に記載の発明は、前記キャップにおける露出部分、及び、前記背凭れベースにおける前記張地によって被覆されていない露出部分が、略同じ色彩に設定されている請求項１記載の椅子である。
【０００９】
請求項３に記載の発明は、前記ランバーサポート機構を構成する構成部材の端部が、前記ガイド孔よりも外方に位置してなるものであり、前記構成部材の端部に、カバー部材が装着されている請求項１又は２記載の椅子である。
【００１０】
請求項４に記載の発明は、前記ランバーサポート機構を構成する構成部材の端部近傍部分が、上下方向に延びた前記ガイド孔内に位置するものであり、前記構成部材が、前記背凭れベースに対して上下動することにより着座者の腰部への押圧度合いを調整し得るアジャスタであり、このアジャスタの端部近傍部分が前記ガイド孔に係わり合い、前記アジャスタが所定の位置に保持され得るように構成されている請求項１、２又は３記載の椅子である。
【００１１】
請求項５に記載の発明は、前記背凭れベースが、側面視における上下方向中間部に、前側に向かって凸をなすように略くの字状に屈曲した屈曲部を備えており、この屈曲部における最も前端に設定されたピーク点よりも上に前記貫通孔が設けられている請求項１、２、３又は４記載の椅子である。
【００１２】
請求項６に記載の発明は、前記キャップが、左右方向に連通する前記ガイド孔を有した筒状をなし、内方端に前記背凭れベースに係止し得る係止部を有するとともに外方端に鍔部を有したものである請求項１、２、３、４又は５記載の椅子である。
【００１３】
請求項７に記載の発明は、前記鍔部と前記貫通孔の開口縁との間に、前記張地が配され得る隙間が形成されている請求項６記載の椅子である。
【発明の効果】
【００１４】
以上説明したように本発明によれば、ランバーサポート機構を有した椅子において、張地を背凭れベースに保持させるための構造の複雑化が抑制された椅子を提供することができる。
【図面の簡単な説明】
【００１５】
【図１】本発明の一実施形態を示す斜視図。
【図２】同実施形態における正面図。
【図３】同実施形態における右側面図。
【図４】同実施形態における斜視図。
【図５】同実施形態における分解斜視図。
【図６】同実施形態における分解斜視図。
【図７】同実施形態における斜視図。
【図８】同実施形態における正面図。
【図９】同実施形態における右側面図。
【図１０】同実施形態における平面図。
【図１１】同実施形態における底面図。
【図１２】同実施形態における分解斜視図。
【図１３】同実施形態における分解斜視図。
【図１４】同実施形態における分解斜視図。
【図１５】同実施形態における分解斜視図。
【図１６】図８におけるＸ−Ｘ線断面図。
【図１７】図８におけるＹ−Ｙ線断面図。
【図１８】図２におけるＺ−Ｚ線概略端面図。
【図１９】同実施形態における作動説明図。
【図２０】同実施形態における作動説明図。
【図２１】同実施形態における作動説明図。
【図２２】同実施形態における作動説明図。
【発明を実施するための形態】
【００１６】
以下、本発明の一実施形態を、図１〜２２を参照して説明する。なお、図７以降のものについては、説明の便宜上、張地Ｍを省略して示している。また、張地Ｍは、背凭れベースＨを構成する背凭れベース本体１等を被覆して当該背凭れベース本体１等を外部から視認させない構造をなしているが、図１〜６においては、説明の便宜上、敢えて張地Ｍを目の粗い網掛けにより示している。
【００１７】
この実施形態は、本発明を、オフィス等において好適に使用される事務用回転椅子である椅子Ａに適用したものである。
【００１８】
椅子Ａは、図１〜３に示すように、脚Ｂと、脚Ｂの上端に水平旋回可能に取り付けられた支持基部Ｃと、前部が支持基部Ｃに支持されている座受Ｄと、座受Ｄに下部が取り付けられている座Ｅと、前端部が支持基部Ｃに回転可能に支持された背支持体Ｆと、背支持体Ｆの後端部に取り付けた背凭れＧとを具備してなる。座Ｅ及び背凭れＧは、一定の比率で後傾し得るいわゆるシンクロロッキング動作ができるように支持基部Ｃ及び背支持体Ｆに支持されている。
【００１９】
＜＜脚Ｂ＞＞
脚Ｂは、下端にキャスタｂ３を備えた複数本の脚羽根ｂ１と、脚羽根ｂ１の上端部が集合する部位から起立する脚支柱ｂ２とを備えている。
【００２０】
＜＜支持基部Ｃ＞＞
支持基部Ｃは、脚支柱ｂ２に支持された金属製の支持基部本体（図示せず）を主体に構成されている。支持基部Ｃは、支持基部本体を覆う支持基部カバーｃ１を備えている。支持基部本体は、支持基部カバーｃ１が装着された状態では、外部から視認できないようになっている。
【００２１】
＜＜座受Ｄ＞＞
座受Ｄは、支持基部Ｃの上に配されたものである。座受Ｄは、前部が支持基部Ｃに対して前後動可能及び回動可能に支持されており、後部が背支持体Ｆの基端部近傍に回動可能に支持されている。
【００２２】
＜＜座Ｅ＞＞
座Ｅは、着座者の荷重を受け止める構造部材としての役割を担う座シェルｅ１と、座シェルｅ１の上に配された座クッションｅ２とを備えてなるものである。座シェルｅ１は、座受Ｄの上側に配されており、座受Ｄに対して前後方向に一定範囲でスライド移動できるように構成されている。
【００２３】
＜＜背支持体Ｆ＞＞
背支持体Ｆは、背凭れＧを前後動可能に支持し得るものである。背支持体Ｆの後端部は、背凭れＧの下端部に接続している。背支持体Ｆの前端部は、支持基部Ｃに軸支持されている。
【００２４】
＜＜背凭れＧ＞＞
背凭れＧは、着座者の背中を後方から支持し得る剛性及び大きさをなす背凭れベースＨと、背凭れベースＨに設けられ着座者の腰部を支持し得るランバーサポート機構Ｊと、背凭れベースＨの左右側部に設けられた貫通孔１３に装着されランバーサポート機構Ｊの一部が貫通するガイド孔ｋを有したキャップＫと、背凭れベースＨの上部、及び、左右端部を除くランバーサポート機構Ｊの略全体を被覆し得る張地Ｍとを備えている。
【００２５】
なお、ランバーサポート機構Ｊは、背凭れベースＨに対して前後方向に回動可能に支持されたランバープレート３と、ランバープレート３の後側に配されランバープレート３の前後位置を調整し得る上下動可能なアジャスタ４と、アジャスタ４の左右端部に装着された使用者の操作端となるカバー部材５とを主体に構成されたものである。
【００２６】
＜背凭れベースＨ＞
背凭れベースＨは、正面視において略矩形状をなしている。背凭れベースＨは、正面視における上部及び下部の適宜の箇所、及び、背面視における上部及び下部の適宜の箇所にリブ表出部１１が形成された背凭れベース本体１と、背凭れベース本体１の下端部に接続した下フレーム部材２とを備えている。
【００２７】
まずは、背凭れベースＨを構成する背凭れベース本体１について説明する。
【００２８】
背凭れベース本体１は、全体として、着座者を好適に支持し得るように平面視において後方に向かって凸をなすように湾曲した形状をなすとともに側面視において前側に向かって凸をなすように略屈曲した形状をなしている。
【００２９】
背凭れベース本体１は、正面視における左右両側部に設けられた貫通孔１３と、正面視において貫通孔１３よりも中央部寄りの位置に左右対をなして設けられた凹んだ形態をなす案内部１４と、正面視において案内部１４よりも中央部寄りの位置に左右対をなして設けられたアジャスタ４の姿勢保持用の溝１５と、正面視において案内部１４よりも上の位置に設けられランバープレート３を前後方向に回動可能に支持するための軸支持部たる軸受部１６と、背面側の上部に設けられ商標等が表示されたプレート部材ｐが取り付けられる凹陥部１７と、下端部の左右両側部に設けられ下フレーム部材２のアーム部２２が嵌合し得るアーム部取付凹部１８と、下端部の左右方向中間部に設けられ下フレーム部材２の架設フレーム部２３に設けた嵌合突起２３１が嵌合し得る図示しない嵌合凹部とを備えている。
【００３０】
貫通孔１３は、左右方向に貫通するものである。貫通孔１３には、背凭れベース本体１における左右方向中間部の前側に配されたアジャスタ４の操作部４２が連通するようになっている。貫通孔１３は、左右方向に連通するとともに上下方向に延びた長孔状をなしている。貫通孔１３には、キャップＫが嵌合し得るようになっている。
【００３１】
なお、貫通孔１３は、図９等に示すように、背凭れベース本体１の屈曲部１２における最も前端に設定されたピーク点１２１よりも上に設けられている。すなわち、背凭れベース本体１は、側面視における上下方向中間部に、前側に向かって凸をなすように略くの字状に屈曲した屈曲部１２を備えている。屈曲部１２における最も前端にピーク点１２１が設定されている。そして、貫通孔１３は、背凭れベース本体１における屈曲部１２のピーク点１２１を避けて、それよりも上側に位置している側面視において後傾した状態で略直線状に延びた部分に設けられている。このように貫通孔１３の配設箇所を設定することにより、アジャスタ４を上下方向に滑らかに移動させやすいようにしている。
【００３２】
案内部１４は、背凭れベース本体１における着座者の腰部に対応する上下位置（Ｓ）に設けられている。案内部１４は、アジャスタ４の上下方向のスライド移動に伴ってアジャスタ４に設けられた押出部材４３を前後方向に案内し得るものである。案内部１４は、左右に対をなして設けられたランバープレート３に対応して左右に対をなして設けられている。
【００３３】
案内部１４は、上側に向かうに連れて漸次前方に位置するように設定された案内面１４１を備えている。換言すれば、案内面１４１は、仮想鉛直面によりも前傾した姿勢をなしている。案内面１４１には、押出部材４３の後端部が当接し得るように構成されている。
【００３４】
案内部１４は、後方に向かって凹んだ形状をなしている。案内部１４には、押出部材４３の少なくとも一部、すなわち押出部材４３の下部及び後部となる部分を収容し得る収容空間ｓｐが形成されている。凹陥した案内部１４のいわゆる底面に相当する部位が案内面１４１となっている。案内部１４は、左右方向中間部に上下方向に延びた押出部材４３の姿勢を保持するための隔壁１４２が設けられている。
【００３５】
溝１５は、アジャスタ４の背面に突設された突起４１２が収容され得るものである。溝１５は上下方向に延びた形態をなしている。
【００３６】
軸受部１６は、ランバープレート３に設けられた枢着部である軸３２１と係わり合って、ランバープレート３を枢支し得るものである。この実施形態では、軸受部１６は、背凭れベース本体１のリブ表出部１１に形成されている。軸受部１６は、ランバープレート３の上部に左右方向に突設されてなる対をなす軸３２１を支持し得るようになっている。
【００３７】
凹陥部１７は、背面視において、背凭れベース本体１の左右方向中間部且つ上端部近傍に設けられている。凹陥部１７は、横長に凹んでなるものである。凹陥部１７には、プレート部材ｐに設けた爪ｐ１が係合し得る係合穴１７１が設けられている。なお、プレート部材ｐは、背凭れベース本体１に被覆された張地Ｍを背凭れベース本体１に対して挟着し得るものとなっている。
【００３８】
アーム部取付凹部１８は、背凭れベース本体１における下端部の左右両側部に形成されている。アーム部取付凹部１８は、下方、後方、及び、外側方に開放した凹み形状をなしている。なお、側面視において、アーム部取付凹部１８の上には、貫通孔１３が隣接して設けられている。
【００３９】
続いて、背凭れベースＨを構成する下フレーム部材２について説明する。
【００４０】
下フレーム部材２は、背凭れベースＨを構成するものである。下フレーム部材２は、背凭れベース本体１と背支持体Ｆとの間に介在している。下フレーム部材２は、下端部に位置してなるプレート状の部位を有し背支持体Ｆにねじ止めされるベース部２１と、ベース部２１の左右に立設された左右のアーム部２２と、左右のアーム部２２の上下方向中間部間に架設された架設フレーム部２３を備えている。
【００４１】
アーム部２２は、架設フレーム部２３よりも上側に突出している上部分２２１が、背凭れベース本体１の下端部における背面側に設けられたアーム部取付凹部１８に嵌合するように構成されている。
【００４２】
架設フレーム部２３は、背凭れベース本体１の下端に形成された図示しない下方に開口した嵌合凹部に嵌合し得る複数の嵌合突起２３１を備えている。この実施形態では、嵌合突起２３１は横方向に並ぶようにして三か所に立設されている。架設フレーム部２３は、嵌合突起２３１を背凭れベース本体１の嵌合凹部に内嵌させた状態でねじｖ２により背凭れベース本体１の下端部に接合される。
【００４３】
下フレーム部材２は、背面視において、全体として上向きに開放された凹陥形状をなした外嵌部分２４を備えている。外嵌部分２４には、背凭れベース本体１における背面側の下端部に形成された下方に向けて凸をなす内嵌部分１９が嵌合し得るようになっている。
【００４４】
＜ランバーサポート機構Ｊ＞
ランバーサポート機構Ｊは、着座者の腰部を後方から押圧して支持し得るものである。ランバーサポート機構Ｊは、背凭れベース本体１の前に配され着座者の腰部を後方から支持し得る板状部分３１を有したランバープレート３と、背凭れベースＨとランバープレート３との間に配され背凭れベース本体１に対して上下方向にスライド可能に支持されたアジャスタ４と、アジャスタ４における左右端部に装着されたカバー部材５とを備えている。ランバーサポート機構Ｊの一部、すなわち、アジャスタ４の左右端部は、キャップＫに形成されたガイド孔ｋ１を貫通するようになっている。
【００４５】
ランバープレート３は、背凭れベース本体１に対して回動可能に支持されたものである。この実施形態では、ランバープレート３が、左右に対をなして配されている。ランバープレート３は、正面視において略台形板状をなした板状部分３１と、板状部分３１の上端部から斜め上後方に向かって突設され板状部分３１を回動可能に支持させるための支持部３２とを備えている。
【００４６】
板状部分３１は、アジャスタ４の前側に位置するとともに背凭れ面を担う張地Ｍの後側に位置するものである。板状部分３１は、着座者の荷重を受けても殆ど撓まない剛性を備えたものである。
【００４７】
支持部３２は、板状部分３１に対して片持ち的に設けられているものである。支持部３２は、先端部に左右方向に突設された軸３２１を備えている。この軸３２１が、背凭れベース本体１の軸受部１６と係り合うことにより、ランバープレート３が背凭れベースＨに対して回動可能に支持されたものとなっている。なお、左右のランバープレート３に設けられた複数の軸３２１の軸線は、同一の仮想軸線上に一致するように設定されている。
【００４８】
アジャスタ４は、全体として左右方向に延びてなる形態をなしている。アジャスタ４は、背凭れベース本体１に対して上下動可能に構成されている。すなわち、アジャスタ４は、図１９〜２２に示すように、背凭れベース本体１に対して下位置（Ｓ）と上位置（Ｕ）との間でスライド移動可能に構成されている。
【００４９】
アジャスタ４は、左右両端部に使用者が操作するための操作部４２を有したアジャスタベース４ｂと、アジャスタベース４ｂの左右方向中間部に設けられランバープレート３を後方から押圧し得る左右に対をなす押出部材４３とを備えている。アジャスタベース４ｂと押出部材４３は、合成樹脂により一体に形成されている。
【００５０】
アジャスタベース４ｂは、操作部４２よりも上下方向に幅広に形成されたベルト状の外形をなし正面視における左右両側部に押出部材４３を配設し得る配設空間４１１を設けたアジャスタベース本体４１と、アジャスタベース本体４１よりも上下幅が短く設定されアジャスタベース本体４１の左右端部から左右方向に延設された操作部４２とを備えている。
【００５１】
アジャスタベース本体４１は、背凭れベース本体１の前面に沿うように平面視において後方に向かって凸をなすように湾曲した形状をなしている。アジャスタベース本体４１の背面には、配設空間４１１よりも内側の位置に背凭れベース本体１の溝１５と係り合う突起４１２が後方に向かって突設されている。
【００５２】
操作部４２は、左右方向に延びた帯状をなしている。操作部４２の端部すなわち左右の先端部分４２１は、背凭れベース本体１の貫通孔１３及びキャップＫのガイド孔ｋ１を通過して正面視において背凭れベース本体１の側縁及びキャップＫのガイド孔ｋ１よりも外方に位置し得るように設定されている。操作部４２の先端部分４２１には、ねじｖが螺着し得るナット部４２２が設けられている。ナット部４２２には、カバー部材５の下面側に穿設されたねじ挿通孔５２を通過させたねじｖが螺合するようになっている。つまり、カバー部材５の嵌合穴５１に操作部４２の先端部分４２１が内嵌し、当該カバー部材５がねじｖにより操作部４２の先端部分４２１に取り付けられるようになっている。操作部４２の端部にカバー部材５を取り付けることにより、アジャスタ４がキャップＫ及び背凭れベースＨから抜け出ないように構成されている。
【００５３】
押出部材４３は、側面視において下端側に向かって漸次前後方向寸法が大きくなる形状をなしている。押出部材４３は、側面視において略三角形状をなす中空のブロック状のものである。押出部材４３は、その上端部がヒンジ部である薄肉の樹脂ヒンジ部ｈを介してアジャスタベース４ｂに支持されている。すなわち、押出部材４３は、アジャスタベース本体４１の配設空間４１１内に配設され、アジャスタベース本体４１と押出部材４３の上端部との間に介設されたヒンジ部である樹脂ヒンジ部ｈを介してアジャスタベース４ｂに対して前後動可能に支持されたものである。換言すれば、押出部材４３は、樹脂ヒンジ部ｈを介してアジャスタベース本体４１に対して吊り下げ支持されている。
【００５４】
押出部材４３は、その後端縁４３ｅが案内部１４の案内面１４１に当接し得るように構成されている。そして、アジャスタ４を下位置（Ｓ）から上位置（Ｕ）に向かってスライドさせると、押出部材４３は、案内部１４の案内面１４１に案内されてアジャスタベース４ｂに対して漸次前側に相対移動し得るようになっている。
【００５５】
押出部材４３は、背面側の左右方向中間部に上下方向に延びた溝部４３１が設けられている。押出部材４３の溝部４３１には、背凭れベース本体１における案内部１４に設けた隔壁１４２が位置するようになっている。
【００５６】
カバー部材５は、アジャスタ４の左右端部に装着され使用者が把持し得る操作端を構成するものである。カバー部材５は、操作部４２の先端部分４２１が挿入される嵌合穴５１と、嵌合穴５１に連通するねじ挿通孔５２を備えている。カバー部材５は、ねじ挿通孔５２に挿通されたねじｖを用いて操作部４２の先端部分４２１に螺着されるようになっている。カバー部材５は、アジャスタ４の先端部分４２１がキャップＫ及び背凭れベースＨから抜け出ないようにするための抜け止め機能を発揮し得るものとなっている。
【００５７】
以上に述べたランバーサポート機構Ｊは、使用者がカバー部材５を摘むように把持しアジャスタ４を上下方向にスライド移動させることにより、背凭れベースＨに設けた案内部１４と協働して押出部材４３の前後位置を変更させ、当該押出部材４３によるランバープレート３への押圧度合いを調整し得るように構成されている。
【００５８】
＜キャップＫ＞
キャップＫは、背凭れベースＨの両側部に設けられた貫通孔１３に嵌合し得るものである。キャップＫは、張地Ｍの一部を背凭れベースＨに固定させる機能を発揮し得るとともにランバーサポート機構Ｊを構成するアジャスタ４と係わり合いアジャスタ４を所定の上下位置に保持させる機能を発揮し得るものである。
【００５９】
キャップＫは、左右方向に連通する上下方向に延びた長孔状をなすガイド孔ｋ１を有した筒状をなしている。キャップＫは、内方端に設けられ背凭れベースＨに係止し得る係止部たる係止爪ｋ２と、外方端に設けられた鍔部ｋ３とを備えたものである。
【００６０】
係止爪ｋ２は、内方端における上下及び内方端における上下方向中間部にそれぞれ設けられている。係止爪ｋ２は、背凭れベースＨにおける貫通孔１３に設けた係止部たる貫通孔形成壁１３１に係止し得るようになっている。
【００６１】
鍔部ｋ３は、キャップＫの外方端にガイド孔ｋ１に沿って設けられた縦長環状のものである。鍔部ｋ３と背凭れベースＨにおける貫通孔１３の開口縁との間には、張地Ｍが配され得る隙間ｓｋが形成されている。
【００６２】
この実施形態では、アジャスタ４の端部近傍部分である操作部４２の一部が、上下方向に延びたキャップＫのガイド孔ｋ１内に位置するものとなっている。そして、操作部４２の一部がガイド孔ｋ１に係わり合い、アジャスタ４が所定の上下位置に保持され得るように構成されている。より具体的に言えば、ガイド孔ｋ１内に位置するアジャスタ４の操作部４２の一部は、ガイド孔ｋ１の内周面に摺接し得るようになっている。
【００６３】
なお、キャップＫにおける露出部分、及び、背凭れベースＨにおける張地Ｍによって被覆されていない露出部分である下フレーム部材２が、略同じ色彩に設定されている。このように構成することにより、背凭れベース本体１を下フレーム部材２と同じ色彩に設定する必要がない。換言すれば、使用者に対して、キャップＫの色彩に基づいて、背凭れベースＨ全体が同じ色彩をなしているように印象付けることができるようになっている。
【００６４】
なお、この明細書において「色彩」とは、人間の視覚を通じて認識される色彩のことをいう。
【００６５】
＜張地Ｍ＞
張地Ｍは、図１〜６に示すように、背凭れベースＨの少なくとも一部を被覆するものである。張地Ｍは、背凭れベースＨの上部を構成する背凭れベース本体１の略全体を被覆し得るものである。張地Ｍは、布製の生地を下端部が開口した袋状に縫製してなる張地本体ｍ１と、張地本体ｍ１の内面に添着された図示しないクッションとを備えてなるものである。
【００６６】
張地Ｍにおいて、背凭れベース本体１の貫通孔１３に対面する左右側縁部分には、内部と外部とを連通可能な側開口部ｍ１１が設けられている。そして、張地Ｍの一部、すなわち、張地Ｍにおける側開口部ｍ１１の開口縁が、背凭れベースＨの貫通孔１３とキャップＫとの間に挟持されるように構成されている。
【００６７】
張地Ｍにおける背面側の上端部は、プレート部材ｐを凹陥部１７に取り付けることにより、背凭れベース本体１に止着されている。また、張地Ｍにおける下端縁は、背凭れベース本体１と下フレーム部材２との間に挟持されるように構成されている。
【００６８】
次いで、この実施形態におけるランバーサポート機構Ｊの作動について説明する。
【００６９】
アジャスタ４は、図１９〜２２に示すように、キャップＫのガイド孔ｋ１内において操作部４２が最も下に位置する下位置（Ｓ）と、キャップＫのガイド孔ｋ１内において操作部４２が最も上に位置する上位置（Ｕ）との間で背凭れベースＨに対して上下方向にスライド移動可能に支持されている。
【００７０】
アジャスタ４は、下位置（Ｓ）において、押出部材４３の後部が案内部１４の収容空間ｓｐ内に位置したものとなっている。つまり、アジャスタ４が下位置（Ｓ）にあるときは、押出部材４３がアジャスタベース４ｂに対して前側に突出した姿勢を採らず、アジャスタベース４ｂの前面と押出部材４３の前面とが略面一の状態をなしている。樹脂ヒンジ部ｈを介してアジャスタベース４ｂに対して回動可能に支持された押出部材４３は、下位置（Ｓ）にあるときは、ランバープレート３及び張地Ｍの荷重を受けて後方に回動し後部が案内部１４内に押し込まれた状態になる。
【００７１】
アジャスタ４が下位置（Ｓ）にある状態から、使用者の操作により、アジャスタ４を上位置（Ｕ）方向に向かってスライド移動させると、案内部１４の収容空間ｓｐ内に位置していた押出部材４３は、案内面１４１に案内されて樹脂ヒンジ部ｈを回動中心にして漸次前側に向かって押し出されることになる。換言すれば、操作者が、カバー部材５を把持してアジャスタ４を上方向にスライド操作することにより、アジャスタベース４ｂに対して前後動可能に支持された押出部材４３は、背凭れベース本体１における案内面１４１の案内作用（カム作用）によりアジャスタベース４ｂの前面よりも前方に突出した姿勢に遷移するようになっている。
【００７２】
アジャスタ４が上方向へ漸次スライド移動することにより、前側に向かって漸次突出の程度が大きくなるように遷移した押出部材４３は、ランバープレート３の板状部分３１を後方から前側に向かって漸次前側に押し出すことになる。この結果、ランバープレート３の板状部分３１は、張地Ｍを介して着座者の腰部を押圧し得るものとなる。つまり、ランバープレート３は、アジャスタ４を上下方向にスライド移動させることにより、その前後位置が調整され得るものとなる。従って、この実施形態におけるランバーサポート機構Ｊであれば、着座者の腰部に対する押圧度合いをアジャスタ４に対する上下方向の操作によって微細に調整し得るものとなっている。
【００７３】
以上説明したように、本実施形態に係る椅子Ａは、背凭れＧを備えたものである。背凭れＧが、背凭れベースＨと、背凭れベースＨの左右両側部に設けられた貫通孔１３に嵌合し得るキャップＫと、キャップＫに形成されたガイド孔ｋ１を貫通するランバーサポート機構Ｊと、背凭れベースＨを被覆する張地Ｍとを備えてなる。そして、張地Ｍの一部すなわち張地Ｍに設けた側開口部ｍ１１が、背凭れベースＨの貫通孔１３とキャップＫとの間に挟持されている。このため、ランバーサポート機構Ｊを有した椅子Ａにおいて、張地Ｍを背凭れベースＨに保持させるための構造の複雑化が抑制された構成のものを提供することができるものとなる。つまり、キャップＫが、ランバーサポート機構Ｊのガイド機能を発揮するだけでなく、張地Ｍを背凭れベースＨに留めるための機能をも発揮し得るものとなっている。キャップＫが二つの機能を兼ねたものとなっているため、背凭れＧの構造の複雑化を回避するための設計の自由度に優れたものとなっている。
【００７４】
キャップＫにおける露出部分である鍔部ｋ３及びガイド孔ｋ１、及び、背凭れベースＨにおける張地Ｍによって被覆されていない露出部分である下フレーム部材２が、略同じ色彩に設定されている。このため、張地Ｍによって被覆されている背凭れベースＨを構成する部材（すなわち背凭れベース本体１）の色彩がどのような色彩のものであっても、使用者等に対して、背凭れベースＨ全体が共通する色彩であるかのような印象を与えることができるものとなる。
【００７５】
ランバーサポート機構Ｊを構成する構成部材の端部であるアジャスタ４の先端部分４２１が、キャップＫのガイド孔ｋ１よりも外方に位置してなるものであり、アジャスタ４の先端部分４２１に、カバー部材５が装着されている。このため、カバー部材５が、ランバーサポート機構Ｊの操作端として好適なものとなるだけでなくアジャスタ４における先端部分４２１の抜け止め機能を好適に発揮し得るものとなっている。
【００７６】
ランバーサポート機構Ｊを構成するアジャスタ４における先端部分４２１の近傍部分が、キャップＫの上下方向に延びたガイド孔ｋ１内に位置するものである。アジャスタ４が、背凭れベースＨに対して上下動することにより着座者の腰部への押圧度合いを調整し得る役割を担っている。アジャスタ４における先端部分４２１の近傍部分がガイド孔ｋ１の内周面に摺接し、アジャスタ４が所定の位置に保持され得るように構成されている。このため、アジャスタ４がキャップＫと係り合って、所望の上下位置に保持され得るものとなっている。
【００７７】
背凭れベースＨが、側面視における上下方向中間部に、前側に向かって凸をなすように略くの字状に屈曲した屈曲部１２を備えている。そして、屈曲部１２における最も前端に設定されたピーク点１２１よりも上に貫通孔１３が設けられている。このため、キャップＫ及びガイド孔ｋ１をできるだけ直線的に設定することができるものとなり、ランバーサポート機構Ｊを構成するアジャスタ４の滑らかな動きを実現しやすいものとなっている。
【００７８】
キャップＫが、左右方向に連通するガイド孔ｋ１を有した筒状をなし、内方端に背凭れベースＨに係止し得る係止部たる係止爪ｋ２を有するとともに外方端に鍔部ｋ３を有したものである。このため、係止爪ｋ２によって、キャップＫが背凭れベースＨに好適に係止し得るとともに鍔部ｋ３によって、キャップＫが好適な外観を表出させ得るものとなっている。
【００７９】
キャップＫの鍔部ｋ３と背凭れベースＨの貫通孔１３の開口縁との間に、張地Ｍが配され得る隙間ｓｋが形成されている。このため、キャップＫと背凭れベースＨとの間に、張地Ｍを無理なく配することができるものとなっている。
【００８０】
なお、図１８に示すように、キャップＫの前側の隙間ｓｋのほうが、キャップＫの後側の隙間ｓｋよりも大きく構成されているのは、張地Ｍの前面側に設けられた図示しないクッションの厚みを考慮しているためである。
【００８１】
なお、本発明は、以上に詳述した実施形態に限られるものではない。
【００８２】
背凭れの構造や形状は、種々のものを採用することができるものであり、上述した構成のものに限られるものではない。
【００８３】
キャップの構造や形状は、種々のものを採用することができるものであり、上述した構成のものに限られるものではない。例えば、キャップやキャップに設けたガイド孔が前後方向に長いものであってもよい。
【００８４】
ランバーサポート機構の構成は、着座者の腰部分を押圧調整し得るものであればどのような構成のものであってもよい。
【００８５】
張地は、袋状をなしているものでなくてもよい。
【００８６】
その他、各部の具体的構成についても上記実施形態に限られるものではなく、本発明の趣旨を逸脱しない範囲で種々変形が可能である。
【符号の説明】
【００８７】
Ａ…椅子
Ｇ…背凭れ
Ｈ…背凭れベース
Ｊ…ランバーサポート機構
Ｋ…キャップ
ｋ１…ガイド孔
【図１】
2019037666.tif 000003
【図２】
2019037666.tif 000004
【図３】
2019037666.tif 000005
【図４】
2019037666.tif 000006
【図５】
2019037666.tif 000007
【図６】
2019037666.tif 000008
【図７】
2019037666.tif 000009
【図８】
2019037666.tif 000010
【図９】
2019037666.tif 000011
【図１０】
2019037666.tif 000012
【図１１】
2019037666.tif 000013
【図１２】
2019037666.tif 000014
【図１３】
2019037666.tif 000015
【図１４】
2019037666.tif 000016
【図１５】
2019037666.tif 000017
【図１６】
2019037666.tif 000018
【図１７】
2019037666.tif 000019
【図１８】
2019037666.tif 000020
【図１９】
2019037666.tif 000021
【図２０】
2019037666.tif 000022
【図２１】
2019037666.tif 000023
【図２２】
2019037666.tif 000024